(57)【要約】【課題】センサパターン操作領域を曲線状に形成することにより、調光レベルを指の感触で認識することができ、操作性の向上が可能な調光操作器及び調光システムを提供することを目的とする。【解決手段】本発明は、面接触式の入力センサから構成され、曲線状に形成されたセンサパターン操作領域１４を有する入力手段１２と、この入力手段１２のセンサパターン操作領域１４から入力される操作レベル情報に応じた調光制御信号を送出する調光制御信号出力手段１８とを備える調光操作器である。【選択図】図２
2010073613.tif 000002
【特許請求の範囲】
【請求項１】
面接触式の入力センサから構成され、曲線状に形成されたセンサパターン操作領域を有する入力手段と；
この入力手段のセンサパターン操作領域から入力される操作レベル情報に応じた調光制御信号を送出する調光制御信号出力手段と；
を具備することを特徴とする調光操作器。
【請求項２】
前記センサパターン操作領域に沿って設けられた調光レベル表示手段を有することを特徴とする請求項１に記載の調光操作器。
【請求項３】
請求項１又は請求項２に記載の調光操作器と；
調光制御可能な照明負荷と；
調光操作器から調光制御信号を受けて対応する照明負荷の調光を行う調光器と；
を具備することを特徴とする調光システム。
【発明の詳細な説明】
【技術分野】
【０００１】
本発明は、面接触式の入力センサから構成された入力手段を備えた調光操作器及びそれを用いた調光システムに関する。
【背景技術】
【０００２】
従来、スタジオや劇場等の演出空間の照明に関し、調光制御を行う場合、調光卓の操作面に設けられたフェーダ、エンコーダ、スイッチ等の操作子を用いて操作を行っている。これら操作子は、レバーやアーム式、また、ベルト式であったりして、操作面から摘み等が突出し、さらに、その構成は、機構部品からなっているため、可動部品の交換や定期的なメンテナンス作業が必要となり、また、部品管理も煩雑になる問題点があった（例えば、特許文献１、特許文献２参照）。
【０００３】
このため、これら機構部品を有さない面接触式の入力センサから構成された入力手段の開発が行われている。この入力手段は入力センサが平面直線状に形成されており、例えば、フェーダにあっては、入力手段のセンサパターン操作領域の直線部分が平行となるように複数並設して配置される。
【特許文献１】特開２００５−２６８１０８号公報
【特許文献２】特開２００４−１２７７２２号公報（図３、図１０等）
【発明の開示】
【発明が解決しようとする課題】
【０００４】
しかしながら、一般的に調光卓のオペレータは、操作する手元、すなわち、センサパターン操作領域をほとんど見ることなく、出力される照明装置の明るさを視覚的に確認しながら調光操作を行うことが多い。この場合、センサパターン操作領域が平面直線状であると、オペレータの指先が接触しているセンサパターン操作領域の位置が実際の調光レベルのどの程度のレベルにあるか把握しにくい。
【０００５】
本発明は、上記課題を解決すべくなされたもので、センサパターン操作領域を曲線状に形成することにより、調光レベルを指の感触で認識することができ、操作性の向上が可能な調光操作器及び調光システムを提供することを目的とする。
【課題を解決するための手段】
【０００６】
請求項１に記載の調光操作器は、面接触式の入力センサから構成され、曲線状に形成されたセンサパターン操作領域を有する入力手段と；この入力手段のセンサパターン操作領域から入力される操作レベル情報に応じた調光制御信号を送出する調光制御信号出力手段と；を具備することを特徴とする。
【０００７】
面接触式の入力センサは、静電容量式のスイッチが適するが、抵抗被膜式、光式等のセンサを用いてもよい。また、面接触式の入力センサには、指等を操作面に触れてタッチ操作が必要なセンサが好ましいが、操作性に問題のない範囲において、指等をセンサに近接することによって非接触状態で静電容量等を変化させるものであってもよい。曲線状とは、例えば、Ｓ字状、弧状や波状を含み、操作方向に対して直交する方向に操作領域が変化している形状であれば格別限定されるものではない。
【０００８】
請求項２に記載の調光操作器は、請求項１に記載の調光操作器において、前記センサパターン操作領域に沿って設けられた調光レベル表示手段を有することを特徴とする。表示手段は、ＬＥＤが好適であるが、ＬＥＤに限らず、ＥＬ素子、ＬＣＤやネオンランプ等を用いてもよい。
【０００９】
請求項３に記載の調光システムは、請求項１又は請求項２に記載の調光操作器と；調光制御可能な照明負荷と；調光操作器から調光制御信号を受けて対応する照明負荷の調光を行う調光器と；を具備することを特徴とする。
【発明の効果】
【００１０】
請求項１に記載の発明によれば、センサパターン操作領域を曲線状に形成することにより、オペレータの指の感触で調光レベルを認識しながら調光操作を行うことができ、操作性の向上を図ることができる。
【００１１】
請求項２に記載の発明によれば、請求項１に記載の発明の効果に加え、照明装置の調光レベルを把握しながらセンサパターン操作領域を操作することができる。
【００１２】
請求項３に記載の発明によれば、前記各請求項に記載の発明の効果を奏する調光システムを提供できる。
【発明を実施するための最良の形態】
【００１３】
以下、本発明の調光操作器及び調光システムの実施形態について図１乃至図４を参照して説明する。図１は、調光システムを示すブロック構成図、図２及び図３は、調光操作器の操作面を模式的に示す正面図、図４は、調光操作器を示すブロック構成図である。図１において、調光室に設置された調光操作器１０は、本体に複数の入力手段を有し、この入力手段から入力された操作情報、すなわち、操作レベル情報を例えば、ＤＭＸ信号として調光機器室に設置された調光盤２０に送出する。ＤＭＸ信号は、米国劇場技術協会（ＵＳＩＴＴ）が規格化した演出分野等に用いられるディジタル信号であり、調光制御用の調光信号の規格として用いられるＤＭＸ５１２を示している。なお、この調光制御信号の伝送は、有線による場合であっても、無線による場合であってもよい。
【００１４】
調光盤２０には、複数の調光器２０-1〜２０-nが設けられており、これら調光器２０-1〜２０-nには、調光電源が供給されている。各調光器２０-1〜２０-nには、それぞれスポットライト等の照明負荷３０-1〜３０-nが接続されている。照明負荷３０-1〜３０-nは、スタジオや舞台に設置されて、演出照明を行うものであり、調光器２０-1〜２０-nから調光制御信号によって制御された調光電圧が供給される。
【００１５】
次に、図２及び図３において、調光操作器１０の操作面１１に係る実施例について説明する。
【００１６】
（実施例１）図２に示すように、調光操作器１０の操作面１１は、パネル状に形成されており、面接触式の入力センサから構成された入力手段１２-1〜１２-5と調光操作モード選択手段１３-1〜１３-3とを備えている。面接触式の入力センサは、静電容量式のスイッチであり、表面側が透光性の樹脂でコーティングされた例えば、５列の曲線状のセンサパターン操作領域１４-1〜１４-5が並んで形成されている。各センサパターン操作領域１４-1〜１４-5は、緩やかな曲線からなる略Ｓ字状で１８０度回転対称形に形成されており、操作面１１から１ｍｍ〜２ｍｍ程度僅かに凹んで溝状に構成されている。したがって、オペレータは、センサパターン操作領域１４-1〜１４-5の輪郭形状を指先の感触で認識できるようになっている。なお、センサパターン操作領域１４-1〜１４-5の輪郭形状を認識できればよいので、輪郭形状に沿って突出するリブを設けるようにしてもよい。また、センサパターン操作領域１４-1〜１４-5は、略Ｓ字状の形状に限るものではなく、弧状や波状であってもよく、指先が触れたときに節度感をもたらすような形状であればよい。さらに、勿論、５列設けることに限定されるものではない。調光システムの規模が大きくなる等に伴ない列数を増加形成することが必要となる場合がある。
【００１７】
センサパターン操作領域１４-1〜１４-5の下面には、ガラス又は絶縁性樹脂等で形成された基板が配置されており、この基板には多数のスイッチが配設されている。そして、センサパターン操作領域１４-1〜１４-5を介して指先等がスイッチに接触すると微弱な静電容量の変化として検出するようになっている。また、センサパターン操作領域１４-1〜１４-5の傍らには、センサパターン操作領域１４-1〜１４-5の輪郭形状に沿って複数のＬＥＤ等の表示要素１５ａから構成された調光レベル表示手段１５-1〜１５-5が設けられている。この表示手段１５-1〜１５-5は、センサパターン操作領域１４-1〜１４-5を指先でなぞる等で入力した操作レベル情報、結果的には、出力レベルを表示するものである。なお、表示手段１５-1〜１５-5は、ＬＥＤに限らず、ＥＬ素子、ＬＣＤ、ネオンランプ等を適用することができる。各入力手段１２-1〜１２-5は、前記調光盤２０の調光器２０-1〜２０-nと１対１又は１対ｎの関係で対応付けられている。
【００１８】
調光操作モード選択手段１３-1〜１３-3は、タッチ式スイッチから構成されており、フェーダ機能、エンコーダ機能、タッチスイッチ機能が選択できるようになっている。概略的に、ここでは、フェーダ機能は、明るさを徐々に変えて調光し、所望の明るさを保持する機能をいい、エンコーダ機能は、既設定の調光レベルを操作の開始点として明るさをアップ／ダウンして微調整の調光をする機能をいい、タッチスイッチ機能は、所定の選択した明るさでオン／オフして、いわゆるフラッシングして調光する機能をいう。調光操作モード選択手段１３-1〜１３-3の近傍には、モードの選択状態を表示するＬＥＤ等から構成された表示部１６-1〜１６-3が設けられている。
【００１９】
（実施例２）図３に示すように、本実施例においては、調光レベル表示手段１５-1〜１５-5をセンサパターン操作領域１４-1〜１４-5に対応する背面側に配設したものである。なお、実施例１と同一又は相当部分には同一符号を付し、重複した説明は省略する。前記センサパターン操作領域１４-1〜１４-5の下面に配置され、多数のセンサやスイッチが配設された基板には、表示要素１５ａと対向するように開口した正方形状の表示窓が形成されている。そして、この基板の背面側には、調光レベル表示手段１５-1〜１５-5が配設されており、各表示要素１５ａが前記表示窓と対向するように配置されている。したがって、調光レベル表示手段１５-1〜１５-5による表示は、センサパターン操作領域１４-1〜１４-5を介して行われる。さらに、調光レベル表示手段１５-1〜１５-5は、センサパターン操作領域１４-1〜１４-5の輪郭形状に沿って各表示要素１５ａが曲線状に配列されている。本実施例によれば、調光レベル表示手段１５-1〜１５-5が占有する操作面１１のスペースを少なくでき、コンパクトに構成することが可能となる。
【００２０】
図４において、調光操作器１０は、入力手段１２-1〜１２-5、表示手段１５-1〜１５-5、制御手段１７、調光制御信号出力手段１８及び調光操作モード選択手段１３-1〜１３-3を備えている。入力手段１２-1〜１２-5は、基板上に実装された静電容量式の多数のセンサやスイッチ及びこれら出力を検出して、検出信号を送出する検出回路１９を含んでいる。この入力手段１２-1〜１２-5には、表示手段１５-1〜１５-5が接続されており、また、入力手段１２-1〜１２-5は、制御手段１７に接続されている。
【００２１】
制御手段１７は、中央演算処理装置又はＦＰＧＡ（Field Programmable Gate Array）等から構成され、調光操作器１０全般の信号処理を行う機能を有する。そして、制御手段１７は、調光制御信号出力手段１８に接続されている。調光制御信号出力手段１８は、制御手段１７から信号を受け、ＤＭＸ信号を出力する。また、制御手段１７には、調光操作モード選択手段１３-1〜１３-3が接続されている。調光操作モード選択手段１３-1〜１３-3で所定のモードが選択されると、制御手段１７は、その選択されたモードに応じて、入力手段１２-1〜１２-5から入力された操作情報を演算処理し、その処理結果データを調光制御信号出力手段１８に送る。
【００２２】
以上のように構成された調光操作器及び調光システムの動作を説明する。ここでは代表してフェーダ機能により入力手段１２-1を操作して調光を行う場合を説明する。フェーダ機能の調光操作モード選択手段１３-1を選択し、すなわち、オペレータがタッチ式スイッチを押圧する。すると、この選択状態を示す表示部１６-1が点灯するとともに、図４に示すように、調光操作モード選択手段１３-1からモード選択信号が制御手段１７に送られる。制御手段１７は、フェーダ機能のモードであることを認識し、入力手段１２-1〜１２-5からの操作情報の待機状態となる。
【００２３】
ここで、オペレータが指先で入力手段１２-1の略Ｓ字状のセンサパターン操作領域１４-1を下方から上方へなぞるように接触させてスライドさせると、この指先の移動軌跡に応じて静電容量式のセンサが位置データを出力し、この位置データを検出回路１９が検出し、検出信号を制御手段１７へ送る。制御手段１７は、スイッチのオン/オフ情報から操作位置及び操作方向等を判定し、つまり、調光レベル及び明るさを上昇させるのか、下降させるのかを判定演算し、その結果である調光制御データを調光制御信号出力手段１８へ送信する。因みに、センサパターン操作領域１４-1の下端位置が調光レベル０であり、上端位置が１００％として２５６階調の設定がされている。すなわち、フェード機能によって、調光レベル０〜１００％の範囲で２５６階調の調光制御ができるようになっている。
【００２４】
一方、検出回路１９の検出信号は、表示手段１５-1にも送信され、表示手段１５-1の表示要素１５ａが指先の移動軌跡に追随して順次連続して点灯するようになっている。これにより、現在の出力レベル、すなわち、調光レベルの把握が容易となる。センサパターン操作領域１４-1を指先で下方から上方へなぞるようにスライドさせているので、明るさは徐々に上昇するように動作する。そして、センサパターン操作領域１４-1から指先を離すと、その位置を検出回路１９が検出し、その位置に対応した調光レベルを保持するとともに、下方からその位置に対応した表示要素１５ａまでが連続点灯して調光レベルが表示されるようになっている。なお、表示要素１５ａの点灯は、連続点灯によらず、検出回路１９が検出したその位置に対応する表示要素１５ａのみが点灯するようにしてもよい。
【００２５】
続いて、上記とは逆に、指先で入力手段１２-1のセンサパターン操作領域１４-1を上方から下方へなぞるように接触させてスライドさせると、同様に制御手段１７は、センサの位置データから操作位置及び操作方向等を判定し、調光制御データを調光制御信号出力手段１８へ送信し、明るさを徐々に下降するように動作する。
【００２６】
調光制御信号出力手段１８は、調光制御データに基づいてＤＭＸ信号を出力する。この調光制御信号は、調光盤２０の調光器２０-1に伝送され、この調光器２０-1から調光電圧が照明負荷３０-1に供給され、照明負荷３０-1が調光制御される。なお、調光データを記憶しておき、それを再生して調光を行う場合にも調光レベルに対応して表示手段１５-1の表示要素１５ａが順次連続して点灯するようになっている。したがって、現在の調光レベルの把握が容易となる。
【００２７】
一方、通常、オペレータは、調光操作に際し、操作する手元、すなわち、センサパターン操作領域１４-1をほとんど見ることなく、出力される照明装置の明るさを視覚的に確認しながら調光操作を行うため、実際の調光レベルを把握しにくい。しかしながら、本実施形態では、センサパターン操作領域１４-1が略Ｓ字状に形成されているので、指先の感触で概略の調光レベルを認識しながら調光操作を行うことができる。つまり、例えば、図２に示すセンサパターン操作領域１４-１において、輪郭線上の略中央の変曲点の部分Ｆは、調光レベル約５０％の位置であり、上方の極大凸部（極大凹部）の部分Ａは、調光レベル約７５％の位置であり、下方の極大凸部（極大凹部）の部分Ｂは、調光レベル約２５％の位置となる。したがって、センサパターン操作領域１４-1を指先でなぞるように接触させてスライドさせると、指先の感触で所定の節度感が得られ調光レベルを認識することができ、視覚によらずに調光レベルを認識することが可能となる。
【００２８】
次に、例えば、現在、調光レベル５０％であり、表示要素１５ａは最下方から５番目までが点灯している状態から調光レベルを調整する方法について説明する。なお、以下の調整方法は、制御手段１７のプログラムを適宜設計することにより達成できる。
【００２９】
オペレータが指先でセンサパターン操作領域１４-1を下方から上方へ又は上方から下方へなぞるように接触させてスライドさせるが、現在の調光レベル位置、すなわち、表示要素１５ａの５番目の位置を指先が超えないと調光レベルは変化しない方法である。具体的に、調光レベルを８０％に調整する場合は、指先を例えば、調光レベル３０％、すなわち、表示要素１５ａの３番目付近から上方へスライドさせる。すると、表示要素１５ａの５番目を超える付近から調光レベルが変化し、明るさが上昇する。表示要素１５ａの８番目付近で指先を離すことにより調光レベルを８０％に調整でき、この状態では、表示要素１５ａは最下方から８番目までが点灯していることとなる。
【００３０】
また、逆に、調光レベル５０％から調光レベルを２０％に調整する場合は、指先を例えば、表示要素１５ａの８番目付近から下方へスライドさせる。すると、表示要素１５ａの５番目を超える付近から調光レベルが変化し、明るさが下降する。表示要素１５ａの２番目付近で指先を離すことにより調光レベルを２０％に調整でき、表示要素１５ａは最下方の１番目と２番目が点灯していることとなる。したがって、調光レベルの上昇、下降の調整が確実にスムーズに行え、また、間違ってセンサパターン操作領域１４-1に触れた場合や不用意な操作では調光レベルが変化しない機能をもたらすことができる。
【００３１】
以上のように本実施形態によれば、センサパターン操作領域１４を曲線状に形成することにより、指の感触で調光レベルを認識しながらスムーズに調光操作を行うことができ、操作性の向上を図ることができる。さらに、センサパターン操作領域１４の輪郭形状に沿って調光レベル表示手段１５が設けられているので、調光レベルが把握し易い効果を奏する。また、入力手段１２を面接触式の入力センサから構成したので、機構部品がなく、従来に比し、可動部品の交換やメンテナンス作業が軽減でき、部品点数も減少することができるので部品管理の点においても有利となる。さらに、調光操作モード選択手段１３によって、モードを選択することができ、この場合、入力手段１２は、共用できるので構成の簡素化が可能となる。加えて、操作面１１には、突起物がないので操作がし易く、片手で複数のセンサパターン操作領域１４を同時的に操作することも可能である。さらにまた、入力手段１２のセンサパターン操作領域１４は、曲線状に複数列設けられているので、同時的な操作がし易い利点がある。
【００３２】
続いて、上記実施形態をモニター付の調光操作器１０に適用した場合について、図５及び図６の側面図を参照して説明する。まず、従来、図６に示すように、調光操作器１０本体にＬＣＤ等から構成されたモニター４０が設けられており、このモニター４０は移動時等のために操作面１１に対して開閉可能となっている。この場合、例えば、フェーダ等の摘みＫは、操作面１１から突出しているので、モニター４０面を操作面１１に密接させて閉じることは困難であり、その分、コンパクト化に欠けることとなる（図６（ｂ）参照）。しかしながら、図５に示すように、上記実施形態による操作面１１は、突起物がなく、フラットに構成できるので、モニター４０面を操作面１１に密接させて閉じることができ、コンパクト化が可能となる。
【００３３】
次に、上記実施形態の適用例について、図７を参照して説明する。図７は、調光操作器の操作面を示す平面図である。操作面１１には、面接触式の入力センサから構成された入力手段としてマスターフェーダ１２M及び複数、すなわち、１６個のシングルフェーダ１２Sが設けられている。そして、各フェーダ１２M、１２Sには、曲線状のセンサパターン操作領域１４M、１４Sが並んで形成されている。また、各フェーダ１２M、１２Sの上側には、調光データを記憶又は再生する場合に、シーン（場面）を選択するシーン選択スイッチＣＳＷ等の各種スイッチが配設されており、下側には、各シングルフェーダ１２Sに割当てられた調光データの内容等を表示するＬＣＤで構成された表示部５０が配設されている。ここで、この表示部５０の上には、アクリル等で形成された透明又は半透明の仕込み記入板５１が重合した状態で設けられている。因みに、仕込み記入板５１は、各フェーダ１２Sに割当てられた調光データの内容等をオペレータが分かり易いように手書きで記入するものであり、実際の舞台等の現場で、急な演出照明の変更があった場合等の対応において有効に活用される。
【００３４】
したがって、本適用例によれば、指の感触で調光レベルを認識しながらフェーダ１２M、１２Sの操作を行うことができる。また、表示部５０に表示される情報を用いる場合には、ＬＣＤを点灯し、透明又は半透明の仕込み記入板５１を介して表示情報を視認でき、仕込み記入板５１を用いる場合には、表示部５０のＬＣＤを消灯又は白色等の単一の淡色で全体を表示するようにすれば、仕込み記入板５１に書かれた情報を視認することができ、また、書かれた情報を視認しながら記入することもできる。この場合、表示部５０と仕込み記入板５１とは、重合状態で配置されているので、各々の配置スペースを設ける必要がなく、操作面１１をコンパクトに構成できる。つまり、表示部５０と仕込み記入板５１とを同じ場所に配置することにより、奥行き寸法を短くすることができ、例えば、フェーダ１２M、１２Sが２列、３列と増加した場合にも奥行き寸法を短くして操作面１１をコンパクトに構成することが可能となる。なお、表示部５０は、ＬＣＤに限らず、ＬＥＤやＥＬ素子等で構成してもよい。
【図面の簡単な説明】
【００３５】
【図１】本発明の実施形態に係る調光システムを示すブロック構成図である。
【図２】同調光操作器の操作面を模式的に示す正面図である（実施例１）。
【図３】同調光操作器の操作面を模式的に示す正面図である（実施例２）。
【図４】同調光操作器を示すブロック構成図である。
【図５】本発明の実施形態に係るモニター付調光操作器を示す側面図である。
【図６】従来のモニター付調光操作器を示す側面図である。
【図７】本発明の実施形態に係る調光操作器の操作面の適用例を示す正面図である。
【符号の説明】
【００３６】
１０・・・調光操作器、１２・・・入力手段、
１４・・・センサパターン操作領域、１５・・・表示手段、
１５ａ・・・表示要素、１８・・・調光制御信号出力手段、
２０・・・調光器、３０・・・照明負荷
【図１】
2010073613.tif 000003
【図２】
2010073613.tif 000004
【図３】
2010073613.tif 000005
【図４】
2010073613.tif 000006
【図５】
2010073613.tif 000007
【図６】
2010073613.tif 000008
【図７】
2010073613.tif 000009